(57)【要約】【課題】キャビネットの天板上の空間を犠牲にしないで、画像表示機器の載置を実現する。【解決手段】天板５に画像表示機器Ｍを載置可能としたキャビネット１において、載置すべき画像表示機器を薄型のものとすると共に、上記画像表示機器が天板上を左右に揺動自在とする手段を設け、この場合に揺動の中心を画像表示機器の背面から後退した位置に設ける。【選択図】　　　　図１
2004141400.tif 000002
【特許請求の範囲】
【請求項１】
天板に画像表示機器を載置可能としたキャビネットにおいて、載置すべき画像表示機器を薄型のものとすると共に、上記画像表示機器が天板上を左右に揺動自在とする手段を設け、この場合に揺動の中心を画像表示機器の背面から後退した位置に設けたことを特徴とする画像表示機器の置き台を兼ねたキャビネット。
【請求項２】
画像表示機器は、テレビ受像機又はパーソナルコンピュータ又はモニター装置である請求項１記載の画像表示機器の置き台を兼ねたキャビネット。
【請求項３】
画像表示機器の画像表示部分として平面型表示装置を採用した請求項１又は２記載の画像表示機器の置き台を兼ねたキャビネット。
【請求項４】
天板上にして画像表示機器の揺動の軌跡の内側に、小キャビネットを重ねて配した請求項１から３の何れかに記載の画像表示機器の置き台を兼ねたキャビネット。
【請求項５】
キャビネットの天板に対して揺動するアームの一端に画像表示機器を固定することにより、画像表示機器の揺動手段とした請求項１から４の何れかに記載の画像表示機器の置き台を兼ねたキャビネット。
【請求項６】
揺動の中心となる軸に対しアームが前後に移動できるように、軸が挿通されるアームの軸孔を長孔とした請求項５記載の画像表示機器の置き台を兼ねたキャビネット。
【請求項７】
キャビネットの天板に、一端に画像表示機器が立設されるべきアームの軸孔が外挿されるべき軸を突設すると共に、この軸の上部に小キャビネットを配した請求項４から６の何れかに記載の画像表示機器の置き台を兼ねたキャビネット。
【請求項８】
キャビネットの天板に重ねて配した小キャビネットの天板に、一端に画像表示機器が垂設されるべきアームの軸孔が外挿されるべき軸を突設すると共に、この軸の上部に天板を配した請求項４から６の何れかに記載の画像表示機器の置き台を兼ねたキャビネット。
【発明の詳細な説明】
【０００１】
【発明の属する技術分野】
この発明は物品を収納する機能を有すると共に、天板にテレビ受像機等の画像表示機器を載置可能としたキャビネットに関し、より詳細には病院の病室等での使用に最適なキャビネットに関する。
【０００２】
【従来の技術】
引き出しや棚を備えたキャビネットを、テレビ受像機等（以下、「テレビ」と略称する。）の画像表示機器の置き台として利用することが一般の家庭で慣用されている。
【０００３】
ところで、病院の病室において、入院患者が入院生活に必要なものを収納するために、ベッドサイドに置いて使用するキャビネットが公知である。この場合、このキャビネットを利用してテレビが載置されることが多い。
【０００４】
【発明が解決しようとする課題】
つまり、キャビネットに関し一般の家庭と同じような利用をしているのであるが、一般の家庭に比し圧倒的に小さな空間である病室においては、キャビネットにテレビを載置することにより、限られた空間における貴重なスペースであるキャビネットの天板がテレビにより占領されてしまうという問題を生じた。
【０００５】
一方、テレビの画像表示部分に旧来のＣＲＴに代わり、液晶ディスプレーやプラズマディスプレー等の平面型表示装置を採用することにより厚みを薄くした薄型テレビが普及しており、これを使用することにより天板における占有面積を減少させることは容易に想到できることである。
【０００６】
しかしながら、このような場合でも薄型のテレビを立設するには脚やスタンドを使用しなくてはならず、これらにより天板が占領される問題が残る。
【０００７】
又、病室においては、入院患者はベッドに寝たり、座ったりした状態でテレビを視聴するのが通常であり、その視線はベッドの長手方向と一致する。従って、テレビはその画面がベッドの長手方向に向いて載置されることとなる。一方、キャビネットはベッドの長手方向を向いた側が正面として利用されるのが通常である。つまり、ベッドを拠点とする患者がキャビネットに収納した物品を取り出すには、キャビネットの正面がベッドの長手方向に向いていることが望ましく、又、ベッド同士が平行に配される相部屋の場合は、スペースの関係でキャビネットの正面は必然的にベッドの長手方向を向くことになる。このような状況において、テレビがその正面をキャビネットの正面と一致させて配される場合には、例えば薄型テレビの採用によりテレビの背面側にキャビネットの天板の非占有部分が残るとしても、使い勝手の面からはそこはデッドスペースとなってしまうおそれがあり、前記の問題が解消されないことになる。
【０００８】
【課題を解決するための手段】
この発明は以上の従来技術の問題点を解消することを目的としたものであり、天板に画像表示機器を載置可能としたキャビネットにおいて、載置すべき画像表示機器を薄型のものとすると共に、上記画像表示機器が天板上を左右に揺動自在とする手段を設け、この場合に揺動の中心を画像表示機器の背面から後退した位置に設けたことを特徴とする。
【０００９】
よって、この発明によれば、視聴する場合にのみ画像表示機器をキャビネットの正面に向けて配し、それ以外の場合は揺動により画像表示機器を退避させれば、キャビネットの天板が正面側に開放され、これを空きスペースとして利用できる作用を生じる。
【００１０】
【発明の実施の形態】
以下、この発明の具体的実施例について添付図面に基づいて説明する。図１乃至図６はこの発明のキャビネットの具体例を示す図である。図中符号１はキャビネットであり、このキャビネットは筐体状の本体の正面に冷蔵庫等を収容するための棚板３の開口側、各種の引き出し４の把手側を向けて配した公知の構造のものであり、底部には移動のためのキャスター２が設けられる。
【００１１】
図中符号５は前記キャビネット１の天板であり、ここに画像表示機器Ｍが左右に揺動自在に配される（図２参照）。画像表示器Ｍは画像表示部分にＣＲＴを使用せず、液晶ディスプレーやプラズマディスプレー等の平面型表示装置を使用して、全体として薄型としたものがこの発明の前提となる。尚、画像表示機器Ｍはここではテレビ受像機を例示するが、例えばパーソナルコンピュータや、受像回路やＣＰＵ部分と分離したモニター装置であってもよいことは勿論である。
【００１２】
この実施例においては前記の揺動機構として、キャビネットの天板に対して揺動するアームの一端に画像表示機器を固定したものを使用している。より詳細には、キャビネット１の天板５の中央付近に軸２０を突設すると共に、この軸にアーム２１の軸孔２１を回転自在に外挿し、アーム２１の一端に画像表示機器Ｍを立設している。この場合、揺動の軌跡中において画像表示機器Ｍがキャビネット１の前縁際に位置するように（図５の仮想線の位置）、軸２０の位置及びアーム２１の長さを設定することにより、天板５上に確保される画像表示機器の揺動の軌跡の内側の範囲は最大となる。尚、ここではアーム２１の下端にキャビネット１の天板５上を走行すべき車輪又はベアリング２２を設けることにより、画像表示機器Ｍの加重を分散している。又、画像表示機器Ｍが取り付けられるべきブラケット２３を、軸２４をもってアーム２１の一端に傾動自在に設けることにより、画像表示機器のチルト機構としている（図５及び６参照）。
【００１３】
この実施例においては、天板５上に確保された前記の範囲を生かすべく、アーム２１の揺動中心となるべき軸２０の上部に、小キャビネット１０を固定している。この小キャビネット１０は画像表示機器Ｍの揺動の軌跡の内側に配されるので、画像表示機器の揺動の妨げとなることはない。尚、ここでは、小キャビネット１０として、正面に扉を有すると共に上面に物品を載置可能な天板１１を配したものを例示する。
【００１４】
図７はこの発明の第２実施例を示す図である。この実施例は天板５上に確保される画像表示機器Ｍの揺動の軌跡の内側の範囲の増大を企図したものであり、キャビネット１の天板５の中央付近に軸３０を突設すると共に、この軸にアーム３１の長孔状の軸孔３２を回転及び摺動自在に外挿し、アーム３１の一端にブラケット３４を介して画像表示機器Ｍを立設している。よって、揺動の中途においてアーム３１と軸３０の距離を変化させることにより、揺動の軌跡の内側の範囲を最大限とすることができる。尚、ここではそのような揺動の軌跡を一定に規制するために、キャビネット１の天板５上に設けたカム溝３５内をアーム３１の下端に設けたボール３３が走行する構成としている。
【００１５】
図８はこの発明の第３実施例を示す図である。この実施例は小キャビネット１０を軸上でなく、キャビネット１の天板５上に直接重ねることにより耐荷重性を高めることを企図したものであり、小キャビネット１０の天板１１の中央付近に軸４０を突設すると共に、この軸にアーム４１の軸孔を回転自在に外挿し、アーム４１の一端にブラケット４２を介して画像表示機器Ｍを垂設している。この場合、前記の軸４０の上部に天板１２を設けることにより、小キャビネット１０の上面に物品を載置可能としている。尚、図中符号４２はアーム４１の下端に設けられて、小キャビネット１０の天板１１上を走行すべき車輪又はベアリングである。
【００１６】
【発明の効果】
以上の構成よりなるこの発明によれば、画像表示機器の使用時にはそれをキャビネットの正面側に向け、不使用時にはキャビネットの側面側に向けることにより、不使用時に小キャビネットの前方が開放されて内部の物品の出し入れが可能となり、又、小キャビネットの天板は画像表示機器の揺動位置にかかわりなく常に使用可能となるので、限られた空間を最大限に活用することが可能となる。
【図面の簡単な説明】
【図１】この発明のキャビネットの斜視図。
【図２】同上、平面図。
【図３】同上、正面図。
【図４】同上、側面図。
【図５】同上、要部の平面図。
【図６】同上、要部の側面図。
【図７】この発明のキャビネットの第２実施例の要部の平面図。
【図８】この発明のキャビネットの第３実施例の要部の側面図。
【符号の説明】
１　　　キャビネット
１０　　小キャビネット
２１　　アーム
Ｍ　　　画像表示機器
【図１】
2004141400.tif 000003
【図２】
2004141400.tif 000004
【図３】
2004141400.tif 000005
【図４】
2004141400.tif 000006
【図５】
2004141400.tif 000007
【図６】
2004141400.tif 000008
【図７】
2004141400.tif 000009
【図８】
2004141400.tif 000010